(57)【要約】      （修正有）【課題】弱い力で着脱可能なウエイトバンドを提供する。【解決手段】ウエイトバンド１は、一対の対向する湾曲部材３、４と、一対の対向する湾曲部材３、４を、一端で開閉自在に連結する連結部２と、を備える。ウエイトバンド１は連結部２により開閉可能で、間隙５が設けられていることによりウエイトバンド１の輪に手や足を通そうとしたり間隙５に手首や足首に押し付けたり引っ張ったりすることで、弱い力で、また片手で、手首や足首に着脱可能なウエイトバンドを提供することができる。【選択図】図２
0003194784.tif 000002
【実用新案登録請求の範囲】
【請求項１】
間隙を挟んで互いに対向する開放端部を有する略Ｃ型形状に形成されたウエイトバンドであって、
前記間隙を広げた場合に当該間隙を閉じる方向に付勢する付勢部を有することを特徴とするウエイトバンド。
【請求項２】
請求項１に記載のウエイトバンドにおいて、
一対の対向する湾曲部材と、
前記一対の対向する湾曲部材を、一端で開閉自在に連結する連結部と、
を備えることを特徴とするウエイトバンド。
【請求項３】
請求項１に記載のウエイトバンドにおいて、
前記付勢部は、前記略Ｃ型形状に湾曲され可撓性を有する部材で構成されることを特徴とするウエイトバンド。
【請求項４】
請求項１から請求項３のいずれかに記載のウエイトバンドにおいて、
第１の材料に、当該第１の材料よりも重い第２の材料を混ぜ合わせた材料で形成されることを特徴とするウエイトバンド。
【請求項５】
請求項１から請求項４のいずれかに記載のウエイトバンドにおいて、
全体を覆う筒状に形成されたカバーを備えることを特徴とするウエイトバンド。
【考案の詳細な説明】
【技術分野】
【０００１】
本考案は、弱い力で着脱可能なウエイトバンドに関する。
【背景技術】
【０００２】
従来から、筋力トレーニングのために、手首や足首にウエイトバンドを装着し、負荷をかけて運動することがよく行われている。一般的なウエイトバンドは、いわゆるマジックテープ（登録商標）として知られている面ファスナーで、手首や足首に巻きつけて装着することができるようになっている（例えば、非特許文献１参照）。
【先行技術文献】
【非特許文献】
【０００３】
【非特許文献１】リストアンクルウェイト［２０１４年９月２６日検索  ｈｔｔｐ：／／ｗｗｗ．ａｌｉｎｃｏ．ｃｏ．ｊｐ／ｐｒｏｄｕｃｔ／ｐｒｏｄ＿ｉｔｅｍ．ｈｔｍｌ？ｉｔｅｍＩｄ＝Ｉ２０１１０５２３０３５］
【考案の概要】
【考案が解決しようとする課題】
【０００４】
しかしながら、面ファスナーは、手首や足首にしっかりと固定することができる反面、はがすのに力が必要であるという問題点があった。そのため、高齢者、リハビリをしている人、運動する機会が少なくてウエイトバンドによって日常生活動作に軽い負荷をかけたい人といった筋力の弱い人には使用しにくいという問題点があった。
【０００５】
そこで、上記課題に鑑みて、本考案では、弱い力で着脱可能なウエイトバンドを提供することを目的とする。
【課題を解決するための手段】
【０００６】
本発明は、上記の課題を解決するために、以下の事項を提案している。なお、理解を容易にするために、本考案の実施形態に対応する符号を付して説明するが、これに限定されるものではない。
【０００７】
（１）  本発明は、間隙を挟んで互いに対向する開放端部を有する略Ｃ型形状に形成されたウエイトバンドであって、前記間隙を広げた場合に当該間隙を閉じる方向に付勢する付勢部を有することを特徴とするウエイトバンドを提案している。
【０００８】
（２）  本発明は、（１）のウエイトバンドについて、一対の対向する湾曲部材（３，４）と、前記一対の対向する湾曲部材を、一端で開閉自在に連結する連結部（２）と、を備えることを特徴とするウエイトバンドを提案している。
【０００９】
（３）  本発明は、（１）のウエイトバンドについて、前記付勢部は、前記略Ｃ型形状に湾曲され可撓性を有する部材で構成されることを特徴とするウエイトバンドを提案している。
【００１０】
（４）  本発明は、（１）から（３）のウエイトバンドについて、第１の材料に、当該第１の材料よりも重い第２の材料を混ぜ合わせた材料で形成されることを特徴とするウエイトバンドを提案している。
【００１１】
（５）  本発明は、（１）または（４）のウエイトバンドについて、全体を覆う筒状に形成されたカバーを備えることを特徴とするウエイトバンドを提案している。
【考案の効果】
【００１２】
本考案によれば、高齢者、リハビリをしている人、運動する機会が少なくて日常生活動作に軽い負荷をかけたい人といった筋力の弱い人に適した、弱い力で着脱可能なウエイトバンドを提供することができる。
【図面の簡単な説明】
【００１３】
【図１】本考案の実施例１に係るウエイトバンドの使用状態を示す斜視図である。
【図２】本考案の実施例１に係るウエイトバンドの全体斜視図である。
【図３】本考案の実施例１に係るウエイトバンドの連結部の拡大断面図である
【図４】本考案の実施例２に係るウエイトバンドの全体斜視図である。
【考案を実施するための形態】
【００１４】
以下、図面を用いて、本考案の実施形態について詳細に説明する。なお、本実施形態における構成要素は適宜、既存の構成要素等との置き換えが可能であり、また、他の既存の構成要素との組み合わせを含むさまざまなバリエーションが可能である。したがって、本実施形態の記載をもって、実用新案登録請求の範囲に記載された考案の内容を限定するものではない。
【００１５】
＜実施例１＞
実施例１に係るウエイトバンドについて、図１から図３を用いて説明する。
【００１６】
図１は、本考案に係るウエイトバンド１の使用状態を示す斜視図である。ウエイトバンド１は、（ａ）に示すように手首に装着してリストウエイトとして使用することができ、また、（ｂ）に示すように足首に装着してアンクルウエイトとして使用することができる。
【００１７】
図２および図３を用いて、ウエイトバンド１の構成について説明する。図２は、ウエイトバンド１の全体斜視図、図３はウエイトバンド１の連結部２の拡大断面図である。
【００１８】
ウエイトバンド１は、間隙を挟んで互いに対向する開放端部を有する略Ｃ型形状のバンドである。ウエイトバンド１は、一対の対向する湾曲部材３、４から構成される。湾曲部材３、４は、手首や足首にフィットするように、楕円弧状であることが望ましい。湾曲部材３、４は一端が、付勢部として機能する連結部２を介して開閉可能に連結されている。連結部２には、湾曲部材３、４の開放端部の間に設けられている間隙５が広げられた場合に、閉じる方向に付勢するバネ６（図４）が設けられる。
【００１９】
このように、ウエイトバンド１は連結部２により開閉可能で、間隙５が設けられていることにより、ウエイトバンド１の輪に手や足を通そうとしたり、間隙５に手首や足首に押し付けたり、間隙５の反対側を引っ張ったりすることで、弱い力で、また片手で、手首や足首にウエイトバンド１を装着することができる。
【００２０】
湾曲部材３、４は、合成樹脂に合成樹脂よりも重い材料を、混ぜ合わせた材料で形成されている。合成樹脂は、例えば、アクリル樹脂、塩化ビニール樹脂、ＡＢＳ樹脂、ポリカーボネイト、ポリプロピレン、ポリエチレン等である。一方、合成樹脂よりも重い材料は、例えば、鉄、鉛、胴といった金属、トルマリン、ゲルマニウム、シリカといった自然の鉱物や鉱石であって、粉末、棒状、板状、ボール状といったさまざまな形状のものであってよい。
【００２１】
合成樹脂に混ぜ合わせる、合成樹脂よりも重い材料の割合によって、ウエイトバンド１の重さを変更することができる。なお、ウエイトバンド１は、さまざまな重さであってよい。ウエイトバンド１を、複数個を併せて装着することにより重量調節を行うこともできる。
【００２２】
湾曲部材３、４の少なくとも内側を弾性材料でコーティングして、ウエイトバンド１を肌なじみがよく、手首や足首に快適にフィットするようにしてもよい。弾性材料として、例えば、熱硬化性ウレタンゴム、熱硬化性シリコーンゴム等を用いることができる。その他には、スチレン系熱可塑性エラストマー、オレフィン系熱可塑性エラストマー、ウレタン系熱可塑性エラストマー、ポリエステル系熱可塑性エラストマー、ポリアミド系熱可塑性エラストマー、フッ素系熱可塑性エラストマー等の熱可塑性エラストマーを用いることもできる。
【００２３】
また、布や弾性材料等の肌なじみのよい材料により形成された筒状のカバーで、ウエイトバンド１全体を覆うことにより、ウエイトバンド１が手首や足首に快適にフィットするようにしてもよい。
【００２４】
＜実施例２＞
実施例２に係るウエイトバンドについて、図４を用いて説明する。なお、実施例２に係るウエイトバンドは、実施例１に示したウエイトバンド１とは付勢部が異なるだけで、形状や形成する材料は同じである。
【００２５】
図４に示すように、ウエイトバンド１０も、実施例１に示したウエイトバンド１と同様に、間隙を挟んで互いに対向する開放端部を有する略Ｃ型形状に形成される。ウエイトバンド１０は、間隙５を広げた場合に間隙５を閉じる方向に付勢するような可撓性を有する部材で構成され、この可撓性を有する部材が付勢部として機能する。
【００２６】
このように、ウエイトバンド１０が、間隙５が設けられ、可撓性を有する部材で構成されることにより、ウエイトバンド１０の輪に手や足を通そうとしたり、間隙５に手首や足首に押し付けたり、間隙５の反対側を引っ張ったりすることで、弱い力で、また片手で、手首や足首にウエイトバンド１０を装着することができる。なお、ウエイトバンド１０についても、実施例１に示したウエイトバンド１と同様に、弾性材料でコーティングしたり、カバーで全体を覆ったりしてもよい。
【００２７】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００２８】
１，１０  ウエイトバンド
２        連結部
３，４    湾曲部材
５        間隙
【図１】
0003194784.tif 000003
【図２】
0003194784.tif 000004
【図３】
0003194784.tif 000005
【図４】
0003194784.tif 000006